(57)【要約】【課題】本発明は、検出回路を別途設けることなく、電線の断線や接地電位へのショートを検出できる信号出力回路を提供することを目的とするものである。【解決手段】本発明の信号出力回路は、第１の差動増幅器２６の出力端にゲートを接続し、ソースに第１の定電流源２１を接続した第１のトランジスタ５のソースとドレインとの間に設けられ、出力電圧が所定のリミット電圧から外れないように前記第１のトランジスタを制御するリミッタ手段と、リミッタ解除信号により作動され前記出力電圧が前記所定のリミット電圧から外れた領域で入力信号に応じた出力をするように前記リミッタ手段を制御するリミッタ解除手段３５と、異常検知出力信号により作動されて前記出力電圧が前記所定のリミット電圧から外れた電圧に保持されるように前記第１の差動増幅器を制御する出力飽和手段３６とを備えたものである。【選択図】図１
2004166292.tif 000002
【特許請求の範囲】
【請求項１】
一方の入力端に信号が入力され、他方の入力端に第１の基準電圧設定手段を接続した第１の差動増幅器と、
前記第１の差動増幅器の出力端にゲートを接続し、ソースに第１の定電流源を接続した第１のトランジスタと、
前記第１のトランジスタと前記第１の定電流源との接続点にゲートを接続し、ドレインに第２の定電流源と出力端子とを接続した第２のトランジスタと、
前記第１のトランジスタのソースとドレインとの間に設けられ、前記出力端子における出力電圧が所定のリミット電圧から外れないように前記第１のトランジスタを制御するリミッタ手段と、
前記リミッタ手段に設けられ、リミッタ解除信号により作動され前記出力端子における出力電圧が前記所定のリミット電圧から外れた領域で前記入力信号に応じた出力をするように前記リミッタ手段を制御するリミッタ解除手段と、
前記第１の差動増幅器に設けられ、異常検知出力信号により作動されて前記出力端子における出力電圧が前記所定のリミット電圧から外れた電圧に保持されるように前記第１の差動増幅器を制御する出力飽和手段とを備えた信号出力回路。
【請求項２】
リミッタ手段は、一方の入力端に出力端子を接続し、他方の入力端にリミット電圧としての第２の基準電圧設定手段を接続した第２の差動増幅器と、
前記第２の差動増幅器の出力端にゲートを接続し、前記第１のトランジスタにソース結合した第３のトランジスタから少なくとも構成した請求項１記載の信号出力回路。
【請求項３】
第２の基準電圧設定手段は、第２の差動増幅器の他方の入力端にソースを接続し、ドレインを接地電位に接続した第４のトランジスタと、
前記第４のトランジスタのゲートに接続した第２の基準電圧源からなる請求項２記載の信号出力回路。
【請求項４】
第２の差動増幅器は、ソース結合した第６、第７のトランジスタと、
前記第６、第７のトランジスタのソースに接続した第３の定電流源からなる請求項２記載の信号出力回路。
【請求項５】
リミッタ解除手段は、第２の基準電圧設定手段の第４のトランジスタのソースにドレインを接続し、ソースを接地電位に接続し、ゲートをリミッタ解除信号の入力端とした第５のトランジスタで構成した請求項３記載の信号出力回路。
【請求項６】
リミッタ解除手段は、第２の差動増幅器を構成する第６、第７のトランジスタの共通ソースにソースを接続し、ドレインを電源電位に接続し、ゲートをリミッタ解除信号の入力端とした第８のトランジスタで構成した請求項４記載の信号出力回路。
【請求項７】
リミッタ解除手段は、リミッタ手段を構成する第３のトランジスタのゲートにソースを接続し、ドレインを電源電位に接続し、ゲートをリミッタ解除信号の入力端とした第９のトランジスタで構成した請求項２記載の信号出力回路。
【請求項８】
出力飽和手段は、第１の差動増幅器の第１の基準電圧が入力される入力端にドレインを接続し、ソースを接地電位に接続し、ゲートを前記異常検知出力信号の入力端とした第１０のトランジスタで構成した請求項１記載の信号出力回路。
【発明の詳細な説明】
【技術分野】
【０００１】
本発明は、加速度、角速度や圧力等を検出するセンサ等に用いられている信号出力回路に関するものである。
【背景技術】
【０００２】
加速度、角速度や圧力等を検出するセンサは、一般的にこれらの検出対象の変位量を電気信号に変換するための変換素子と、この素子から出力される微弱な電気信号を電気的に増幅し出力する回路とを有している。その出力回路は図６に示すものが知られている。
【０００３】
図６において、２６は第１の差動増幅器であり、この第１の差動増幅器２６は、ソース結合したトランジスタ１，２と、このトランジスタ１，２のソースと第１の電源端子３３との間に接続された定電流源２０とで構成されており、前記トランジスタ１のゲートにセンサからの電気信号を入力され、前記トランジスタ２のゲートに第１の基準電圧設定手段２８が与えられる。
【０００４】
３０は前記第１の差動増幅器２６の能動負荷としての第１のカレントミラーであり、この第１のカレントミラー３０は、ダイオード結合したトランジスタ３と、このトランジスタ３のゲートにそのゲートを接続したトランジスタ４とで構成されており、前記トランジスタ３のゲート、ドレインは前記トランジスタ１のドレインに接続され、ソースは第２の電源端子３４に接続され、前記トランジスタ４のドレインは前記トランジスタ２のドレインに接続され、ソースは前記第２の電源端子３４に接続される。
【０００５】
５は前置増幅用のトランジスタであり、ゲートは前記第１の差動増幅器２６の出力である前記トランジスタ２のドレインに接続され、ソースは定電流源２１を介して前記第２の電源端子３４に接続され、ドレインは前記第１の電源端子３３に接続される。
【０００６】
６は出力用のトランジスタであり、ゲートは前記トランジスタ５のソースに接続され、ソースは前記第２の電源端子３４に接続され、ドレインは定電流源２２を介して前記第１の電源端子３３に接続される。前記トランジスタ６のドレインは出力端子３２に接続される。
【０００７】
この出力回路において、前記トランジスタ３のドレインから前記トランジスタ１のドレインに流れる電流と、前記トランジスタ４のドレインから前記トランジスタ２のドレインに流れる電流との和は一定に保持されるため、トランジスタ１のゲートに入力される入力信号が増加すると、第１の差動増幅器２６の出力であるトランジスタ２のドレイン電圧は増加し、トランジスタ５のゲート電圧はトランジスタ２のドレイン電圧と同電位であるため、トランジスタ５のソース電圧は増加する。このトランジスタ５のソース電圧が増加するとトランジスタ６のドレイン電圧は減少し、その結果、出力端子３２の出力電圧は減少する。
【０００８】
なお、この出願の発明に関連する先行技術文献情報としては、例えば、特許文献１が知られている。
【特許文献１】特開平２−６２１０６号公報
【発明の開示】
【発明が解決しようとする課題】
【０００９】
しかしながら前述した従来の信号出力回路は、前記出力電圧を電線を用いて受電側回路に伝達する際電線の断線もしくは接地電位へのショートが発生した場合以下の不具合が生じる。
【００１０】
すなわち、受電側回路への入力電圧は０Ｖとなるが、この０Ｖがセンサの正規出力としての電圧か、ああるいは電線の断線もしくは接地電位へのショートによる電圧かをこの出力回路のみでは判断することができず、ショートを検出するための検出回路を別途設けなくてはならないという問題があった。
【００１１】
本発明は、この検出回路を設けることなく電線の断線もしくは接地電位へのショートを検出することができる出力回路を提供することを目的とする。
【課題を解決するための手段】
【００１２】
この目的を達成するために本発明の請求項１に記載の発明は、一方の入力端に信号が入力され、他方の入力端に第１の基準電圧設定手段を接続した第１の差動増幅器と、前記第１の差動増幅器の出力端にゲートを接続し、ソースに第１の定電流源を接続した第１のトランジスタと、前記第１のトランジスタと前記第１の定電流源との接続点にゲートを接続し、ドレインに第２の定電流源と出力端子とを接続した第２のトランジスタと、前記第１のトランジスタのソースとドレインとの間に設けられ、前記出力端子における出力電圧が所定のリミット電圧から外れないように前記第１のトランジスタを制御するリミッタ手段と、前記リミッタ手段に設けられ、リミッタ解除信号により作動され前記出力端子における出力電圧が前記所定のリミット電圧から外れた領域で前記入力信号に応じた出力をするように前記リミッタ手段を制御するリミッタ解除手段と、前記第１の差動増幅器に設けられ、異常検知出力信号により作動されて前記出力端子における出力電圧が前記所定のリミット電圧から外れた電圧に保持されるように前記第１の差動増幅器を制御する出力飽和手段とを備えた信号出力回路であり、検出回路を設けることなく電線の断線もしくは接地電位へのショートを検出することができるという作用効果を奏する。しかも、リミッタ解除手段および出力飽和手段を備えるので、断線もしくは接地電位へのショート以外の異常発生の場合にもその異常を検出することができるという作用効果を奏する。
【００１３】
請求項２記載の発明は、リミッタ手段は、一方の入力端に出力端子を接続し、他方の入力端にリミット電圧としての第２の基準電圧設定手段を接続した第２の差動増幅器と、前記第２の差動増幅器の出力端にゲートを接続し、前記第１のトランジスタにソース結合した第３のトランジスタから少なくとも構成した請求項１記載の信号出力回路であり、前記出力端子から出力される出力電圧が前記第２の基準電圧以下にならないため、この第２の基準電圧を０Ｖよりも大きい値に設定することにより正常状態において前記出力電圧が０Ｖであるということがなくなる。したがって、前記出力電圧が０Ｖの場合断線もしくは接地電位へのショートが発生したと判断することができるという作用効果を奏する。
【００１４】
請求項３記載の発明は、第２の基準電圧設定手段は、第２の差動増幅器の他方の入力端にソースを接続し、ドレインを接地電位に接続した第４のトランジスタと、前記第４のトランジスタのゲートに接続した第２の基準電圧源からなる請求項２記載の信号出力回路であり、容易に第２の基準電圧を設定することができるという作用効果を奏する。
【００１５】
請求項４記載の発明は、第２の差動増幅器は、ソース結合した第６、第７のトランジスタと、前記第６、第７のトランジスタのソースに接続した第３の定電流源からなる請求項２記載の信号出力回路であり、出力電圧と第２の基準電圧との比較を簡単な構成で精度よく行うことができるという作用効果を奏する。また、出力電圧を直接第２の差動増幅器に入力しているので、出力電圧が他の回路等を経由する場合と比較して応答速度が速くなるという作用効果も奏する。
【００１６】
請求項５記載の発明は、リミッタ解除手段は、第２の基準電圧設定手段の第４のトランジスタのソースにドレインを接続し、ソースを接地電位に接続し、ゲートをリミッタ解除信号の入力端とした第５のトランジスタで構成した請求項３記載の信号出力回路であり、請求項１と同等の作用効果を奏する。
【００１７】
請求項６記載の発明は、リミッタ解除手段は、第２の差動増幅器を構成する第６、第７のトランジスタの共通ソースにソースを接続し、ドレインを電源電位に接続し、ゲートをリミッタ解除信号の入力端とした第８のトランジスタで構成した請求項４記載の信号出力回路であり、請求項１と同等の作用効果を奏する。
【００１８】
請求項７記載の発明は、リミッタ解除手段は、リミッタ手段を構成する第３のトランジスタのゲートにソースを接続し、ドレインを電源電位に接続し、ゲートをリミッタ解除信号の入力端とした第９のトランジスタで構成した請求項２記載の信号出力回路であり、請求項１と同等の作用効果を奏する。
【００１９】
請求項８記載の発明は、出力飽和手段は、第１の差動増幅器の第１の基準電圧が入力される入力端にドレインを接続し、ソースを接地電位に接続し、ゲートを前記異常検知出力信号の入力端とした第１０のトランジスタで構成した請求項１記載の信号出力回路であり、請求項１と同等の作用効果を奏する。
【発明の効果】
【００２０】
一方の入力端に信号が入力され、他方の入力端に第１の基準電圧設定手段を接続した第１の差動増幅器と、前記第１の差動増幅器の出力端にゲートを接続し、ソースに第１の定電流源を接続した第１のトランジスタと、前記第１のトランジスタと前記第１の定電流源との接続点にゲートを接続し、ドレインに第２の定電流源と出力端子とを接続した第２のトランジスタと、前記第１のトランジスタのソースとドレインとの間に設けられ、前記出力端子における出力電圧が所定のリミット電圧から外れないように前記第１のトランジスタを制御するリミッタ手段と、前記リミッタ手段に設けられ、リミッタ解除信号により作動され前記出力端子における出力電圧が前記所定のリミット電圧から外れた領域で前記入力信号に応じた出力をするように前記リミッタ手段を制御するリミッタ解除手段と、前記第１の差動増幅器に設けられ、異常検知出力信号により作動されて前記出力端子における出力電圧が前記所定のリミット電圧から外れた電圧に保持されるように前記第１の差動増幅器を制御する出力飽和手段とを備えた信号出力回路であり、リミッタ手段を設けたことにより、別途検出回路を設けることなく電線の断線もしくは接地電位へのショート、あるいは電源電位へのショートを検出することができる。
【発明を実施するための最良の形態】
【００２１】
以下、本発明の信号出力回路について実施の形態および図面を用いて説明する。なお、この信号出力回路に信号を入力する手段としてセンサを用いた。
【００２２】
（実施の形態１）
本実施の形態１および図１を用いて本発明の特に請求項１乃至４に記載の発明について説明する。
【００２３】
まず、本実施の形態１の信号出力回路の構成について説明する。
【００２４】
図１において、２６は第１の差動増幅器であり、この第１の差動増幅器２６は、ソース結合したトランジスタ１，２と、このトランジスタ１，２の共通ソースと第１の電源端子３３との間に接続された定電流源２０とで構成されており、前記トランジスタ１のゲートにセンサからの信号が入力され、前記トランジスタ２のゲートに第１の基準電圧設定手段２８により第１の基準電圧が与えられる。
【００２５】
３０は前記第１の差動増幅器２６の能動負荷としての第１のカレントミラーであり、この第１のカレントミラー３０は、ダイオード結合したトランジスタ３と、このトランジスタ３のゲートにゲートを接続したトランジスタ４とで構成されている。前記トランジスタ３のゲート、ドレインは前記トランジスタ１のドレインに接続され、前記トランジスタ３のソースは第２の電源端子３４に接続され、前記トランジスタ４のドレインは前記トランジスタ２のドレインに接続され、前記トランジスタ４のソースは前記第２の電源端子３４に接続される。
【００２６】
５は前置増幅用の第１のトランジスタであり、ゲートは前記第１の差動増幅器２６の出力である前記トランジスタ２のドレインに接続され、ソースは第１の定電流源２１を介して前記第２の電源端子３４に接続され、ドレインは前記第１の電源端子３３に接続される。
【００２７】
６は出力用の第２のトランジスタであり、ゲートは前記第１のトランジスタ５のソースに接続され、ソースは前記第２の電源端子３４に接続され、ドレインは出力端子３２および第２の定電流源２２を介して前記第１の電源端子３３に接続される。
【００２８】
２７は第２の差動増幅器であり、この第２の差動増幅器２７は、ソース結合した第６、第７のトランジスタ８，９と、この第６、第７のトランジスタ８，９のソースと前記第１の電源端子３３との間に接続された第３の定電流源２３とで構成されており、前記第６のトランジスタ８のゲートは定電流源２４を介して前記第２の電源端子３４に接続され、且つ出力モニター用であるトランジスタ１２のソースに接続される。このトランジスタ１２のドレインは前記第１の電源端子３３に接続され、ゲートは前記出力端子３２に接続される。
【００２９】
また、前記第７のトランジスタ９のゲートは定電流源２５を介して前記第２の電源端子３４に接続され、且つ第２の基準電圧設定手段３８の第４のトランジスタ１３のソースに接続される。この第４のトランジスタ１３のドレインは前記第１の電源端子３３に接続され、ゲートはリミット電圧である第２の基準電圧２９に接続される。
【００３０】
３１は前記第２の差動増幅器２７の能動負荷としての第２のカレントミラーであり、この第２のカレントミラー３１は、ダイオード結合したトランジスタ１４と、このトランジスタ１４のゲートにゲートを接続したトランジスタ１５とで構成されており、前記トランジスタ１４のゲート、ドレインは前記第６のトランジスタ８のドレインに接続され、ソースは第２の電源端子３４に接続されている。前記トランジスタ１５のドレインは前記第７のトランジスタ９のドレインに接続され、ソースは前記第２の電源端子３４に接続される。
【００３１】
７は出力制限用の第３のトランジスタであり、この第３のトランジスタ７のゲートは前記第２の差動増幅器２７の出力である前記第７のトランジスタ９のドレインに接続され、ソースは前記第１のトランジスタ５のソース及び前記第２のトランジスタ６のゲート及び前記第１の定電流源２１に接続され、ドレインは前記第１の電源端子３３に接続される。
【００３２】
そして、リミッタ手段は、前記第３のトランジスタ７と、第２の差動増幅器２７と、第２の基準電圧設定手段３８とから少なくとも構成される。
【００３３】
更に、信号出力回路には、リミッタ手段にリミッタ解除手段３５が設けられており、第１の差動増幅器２６に出力飽和手段３６が設けられている。
【００３４】
前記リミッタ解除手段３５は第４のトランジスタ１３に並列に接続した第５のトランジスタ１６より構成され、前記出力飽和手段３６は前記第１の基準電圧設定手段２８と第１の電源端子３３との間に設けた第１０のトランジスタ１７より構成される。また前記リミッタ解除手段３５及び出力飽和手段３６は異常検知手段３７により動作制御される。
【００３５】
この異常検知手段３７は、例えば、センサの起動時における出力の安定領域に至るまでの期間、センサに過大もしくは異常な外乱（振動、電磁波、等）が加わったときに制御信号を発生するものである。
【００３６】
次に本実施の形態の信号出力回路の動作について説明する。
【００３７】
前記トランジスタ３のドレインから前記トランジスタ１のドレインに流れる電流と、前記トランジスタ４のドレインから前記トランジスタ２のドレインに流れる電流との和は一定に保持されるため、トランジスタ１のゲートに入力される入力信号が増加すると、第１の差動増幅器２６の出力であるトランジスタ２のドレイン電圧は増加する。このドレイン電圧と第１のトランジスタ５のゲート電圧は同電位であるためトランジスタ５のソース電圧は増加し、第２のトランジスタ６のドレイン電圧は減少する。その結果、出力端子３２の出力電圧は減少する。
【００３８】
ここで、出力電圧がリミット電圧である第２の基準電圧２９より小さいとき、出力電圧が低下すると、トランジスタ１２のゲート電圧が低下し、第６のトランジスタ８のゲート電圧はトランジスタ１２のゲート電圧に連動して低下する。
【００３９】
第４のトランジスタ１３のゲートに与えられたリミット電圧である第２の基準電圧２９は、第７のトランジスタ９のゲート電圧として与えられる。
【００４０】
そのため第２の差動増幅器２７の出力である第７のトランジスタ９のドレイン電圧、すなわち、第３のトランジスタ７のゲート電圧は低下し、これに連動して第３のトランジスタ７のソース電圧、すなわち、第２のトランジスタ６のゲート電圧が低下し、第２のトランジスタ６のドレイン電圧はリミット電圧である第２の基準電圧２９まで上昇する。
【００４１】
その結果、出力電圧が第２の基準電圧２９以下になるような入力電圧が入力されても、出力電圧は第２の基準電圧２９以下にはならず、第２の基準電圧２９に保たれる。このとき第１、第３のトランジスタ５，７は両ソース、両ドレインを接続しており、ソース電圧が共通なため、第３のトランジスタ７はオン状態で第１のトランジスタ５はオフ状態となり、第１の差動増幅器２６の出力は遮断され、出力電圧に影響を及ぼさない。
【００４２】
一方、出力電圧がリミット電圧である第２の基準電圧２９より大きいとき、第１、第３のトランジスタ５，７はソース電圧が共通なため、第３のトランジスタ７はオフ状態で第１のトランジスタ５はオン状態となり、第２の差動増幅器２７の出力は遮断され、出力電圧に影響を及ぼさない。
【００４３】
以上のように出力端子３２から出力される出力電圧は前記第２の基準電圧以下にならないため、この第２の基準電圧を０Ｖよりも大きい値に設定することにより正常状態において前記出力電圧が０Ｖであるということがなくなる。したがって、前記出力電圧が０Ｖの場合、断線もしくは接地電位へのショートが発生したと受電側回路で判断することができるものである。
【００４４】
また、出力電圧のリミッタ手段が動作した電圧、すなわちリミット電圧は正確、且つ温度等に対して安定な電圧を供給することができ、リミット電圧は第２の基準電圧２９を変更するだけで容易に変更することができる。
【００４５】
ところで、トランジスタ１のゲートに入力される入力電圧が上昇し、出力電圧がリミット電圧である第２の基準電圧２９より低下しようとするとき、異常検知手段３７より第５のトランジスタ１６のゲートにリミッタ解除信号としての異常検知信号が入力されていると、リミッタ解除手段３５である第５のトランジスタ１６はオン状態となり、これにより第４のトランジスタ１３のソース−ドレイン間をショートし、その結果、第４のトランジスタ１３のゲート−ソース間電圧と第２の基準電圧２９は除去される。したがって、第７のトランジスタ９のゲート電圧はトランジスタ１６の順方向電圧だけのレベル調整、すなわち第６のトランジスタ８のレベル調整電圧よりも第４のトランジスタ１３のゲート−ソース間電圧と第２の基準電圧２９だけ低くレベル調整される。これは見かけ上の基準電圧が第４のトランジスタ１３のゲート−ソース間電圧と第２の基準電圧２９分低下したことに相当し、常に出力電圧がリミット電圧である第２の基準電圧２９より大きい条件となる。このとき、第２の差動増幅器２７の出力である第７のトランジスタ９のドレイン電圧すなわち第３のトランジスタ７のゲート電圧は上昇し、第３のトランジスタ７と第１のトランジスタ５はソース電圧が共通なため、第３のトランジスタ７はオフ状態で第１のトランジスタ５はオン状態となり、第２の差動増幅器２７の出力は遮断され、出力電圧に影響を及ぼさない。その結果、出力電圧が第２の基準電圧２９以下になるような入力電圧が入力されても、出力電圧は第２の基準電圧２９以下の領域でも入力に応じた出力が可能となる。
【００４６】
また、リミッタ解除手段３５としては以下の構成も可能である。すなわち、図２に示すように、第８のトランジスタ１８を設け、この第８のトランジスタ１８のソースを第６、第７のトランジスタ８，９の共通ソースに接続し、ドレインを第２の電源端子３４に接続し、ゲートを異常検知手段３７の出力に接続したものが挙げられる。
【００４７】
さらには、図３に示すような構成もリミッタ解除手段３５として可能である。すなわち、第９のトランジスタ１９を設け、この第９のトランジスタ１９のソースを第３のトランジスタ７のゲートに接続し、ドレインを第２の電源端子３４に接続し、ゲートを異常検知手段３７の出力に接続したものである。図２、図３のいずれの場合も図１と同様、第３のトランジスタ７と第１のトランジスタ５はソース電圧が共通なため、第３のトランジスタ７はオフ状態で第１のトランジスタ５はオン状態となり、第２の差動増幅器２７の出力は遮断され、出力電圧に影響を及ぼさない。その結果、出力電圧が第２の基準電圧２９以下になるような入力電圧が入力されても、出力電圧は第２の基準電圧２９以下の領域でも入力に応じた出力が可能となる。
【００４８】
ここで出力飽和手段３６の第１０のトランジスタ１７のゲートと、リミッタ解除手段３５の第５のトランジスタ１６のゲートに異常検知手段３７の異常検知出力を同時に与えたとき、上記の通りリミッタは解除され、さらに第１０のトランジスタ１７がオン状態となりトランジスタ２のゲートは第１の電源端子３３に接地されるので、トランジスタ１のゲートに入力される入力電圧は常にトランジスタ２のゲート電圧よりも大きくなる。そのため、第１の差動増幅器２６の出力であるトランジスタ２のドレイン電圧は増加し、それと同電位である第１のトランジスタ５のゲート電圧も増加するので第１のトランジスタ５のソース電圧も増加する。これにより第２のトランジスタ６のドレイン電圧は減少するので、出力端子３２の出力電圧も減少する。この出力端子３２の出力電圧はさらにトランジスタ２のゲート電圧より減少するため、その結果、接地電位に固定されることとなる。
【００４９】
以上のような構成をとることにより、異常検知時に断線もしくは接地電位へのショートによる電圧と類似な出力ができるため、別途、異常検知用端子を設けなくても、信号の出力端子３２を介して異常検知の情報を受電側回路に伝達することができる。
【００５０】
なお、本実施の形態では信号出力回路にレベル調整手段を設けていないが必要に応じて設けてもよい。例えば図４に示すように、ダイオード結合されたトランジスタ１０，１１を用いて、第６のトランジスタ８とトランジスタ１２との間に、第７のトランジスタ９と第４のトランジスタ１３との間にそれぞれ介在させてもよい。
【００５１】
また、本実施の形態で用いたトランジスタに代わりバイポーラトランジスタを用いても同様の効果を奏する（図示せず）。この場合ソースはエミッタ、ドレインはコレクタ、ゲートはベースに相当する。
【００５２】
加えて、図５に示すように、図１におけるすべてのトランジスタのＰＮを反転させたものを用いた場合出力電圧の上限を規定することができる。すなわち、本発明の信号出力回路では第２の基準電圧設定手段３８によりリミット電圧つまり下限電圧を設定したが、同様にして上限電圧を設定することができる。これにより検出回路を設けることなく電源端子へのショートを検知することができるという作用効果を奏する。この場合上記のようにバイポーラトランジスタを用いても同様の作用効果を奏する。
【００５３】
なお、上記実施の形態では、この信号出力回路に信号を入力する手段としてセンサを用いたが、これに限定されるものではない。
【産業上の利用可能性】
【００５４】
本発明の信号出力回路は、受電側に別途検出回路を設けることなく、電線の断線あるいは接地電位へのショート、電源電位へのショートを検出することができ、特にセンサ等の信号出力回路として有用である。
【図面の簡単な説明】
【００５５】
【図１】本発明の一実施の形態の信号出力回路図
【図２】同信号出力回路図
【図３】同信号出力回路図
【図４】同信号出力回路図
【図５】同信号出力回路図
【図６】従来の信号出力回路図
【符号の説明】
【００５６】
１，２，３，４，１０，１１，１２，１４，１５  トランジスタ
５  第１のトランジスタ
６  第２のトランジスタ
７  第３のトランジスタ
８  第６のトランジスタ
９  第７のトランジスタ
１３  第４のトランジスタ
１６  第５のトランジスタ
１７  第１０のトランジスタ
１８  第８のトランジスタ
１９  第９のトランジスタ
２０，２４，２５  定電流源
２１  第１の定電流源
２２  第２の定電流源
２３  第３の定電流源
２６  第１の差動増幅器
２７  第２の差動増幅器
２８  第１の基準電圧設定手段
２９  第２の基準電圧
３０  第１の負荷抵抗
３１  第２の負荷抵抗
３２  出力端子
３３  第１の電源端子
３４  第２の電源端子
３５  リミッタ解除手段
３６  出力飽和手段
３７  異常検知手段
３８  第２の基準電圧設定手段
【図１】
2004166292.tif 000003
【図２】
2004166292.tif 000004
【図３】
2004166292.tif 000005
【図４】
2004166292.tif 000006
【図５】
2004166292.tif 000007
【図６】
2004166292.tif 000008